(57)【特許請求の範囲】
【請求項１】
底面に吸込開口を有する吸込室を形成した吸込口本体と、前記吸込室内に回転自在に設けた回転清掃体と、前記吸込室に一端が連通すると共に他端が掃除機本体の集塵室側に連通した吸込風路と、外気に一端が連通すると共に他端が前記吸込室に連通して前後方向に延びた吸込孔と、前記吸込口体に取り付けられたバンパとを備え、前記吸込口本体は下ケースとこの下ケースに取り付けられた上ケースとを有し、前記吸込風路に発生した負圧によって前記吸込孔から吸い込んだ外気を前記回転清掃体に吹き付けて前記回転清掃体を回転させる吸込口体であって、
前記吸込孔を下ケースと前記バンパとで形成するとともに、その吸気孔の上側が前記バンパで形成し、
前記吸込室に臨む前記吸込風路の開口の下縁部を前記回転清掃体の回転中心の位置より低く設定し、
その開口の上縁部を前記回転清掃体の最上部より高く設定し、
前記吸込孔の外気側開口を前記本体の前方側底面近傍に配置して被清掃面から前記外気側開口の開口中心までの高さを被清掃面から前記回転清掃体の回転中心までの高さよりも低く設定し、前記吸込孔から被清掃面上の塵埃を外気と一緒に吸い込み、この吸い込んだ外気を前記回転清掃体の回転中心よりも上方に向けて吹き付けて被清掃面上を前記本体が前進したときの被清掃面の移動方向に対して前記回転清掃体を逆方向に回転させることを特徴とする吸込口体。
【請求項２】
被清掃面から前記外気側開口の開口中心までの高さをａ、被清掃面から前記回転清掃体の回転中心までの高さをｂ、被清掃面から前記吸込風路の吸込室側開口部の開口中心までの高さをｃとしたときに、その関係をａ＜ｂ＜ｃに設定したことを特徴とする請求項１に記載の吸込口体。
【請求項３】
前記吸込孔を奥行きを有するノズル状とすると共に奥側に向かう程被清掃面からの高さが高くなるように傾斜させたことを特徴とする請求項１又は請求項２に記載の吸込口体。
【請求項４】
請求項１乃至請求項３の何れかに記載の吸込口体を有することを特徴とする電気掃除機。
【発明の詳細な説明】
【０００１】
【発明の属する技術分野】
この発明は、電動送風機によって吸い込んだ空気を塵埃吸引用と回転清掃体駆動用とに利用する吸込口体並びに吸込口体を接続した電気掃除機に関する。
【０００２】
【従来の技術】
従来、電気掃除機の吸込口体には、図４に示すように、本体１の底面１ａに吸込開口２を有する吸込室３と、吸込室３に連通した吸込風路４と、吸込室３に回転可能に設けられる回転清掃体５と、吸込室３に連通する吸込孔６とを備え、図示を略する電気掃除機本体の電動送風機の駆動に伴って負圧吸引ホース並びに吸引管を経由して吸込風路４に発生した負圧によって吸込開口２から塵埃を吸い込んでいる。
【０００３】
また、吸込風路４に発生した負圧は吸込孔６から外気を吸い込むと同時に、その外気を回転清掃体５に吹き付けて回転清掃体５を回転させる。その回転清掃体５の回転は被清掃面Ｙ上の塵埃を吸込室３内に掻き込む（特開平１１−２０６６３７号公報参照）。
【０００４】
吸込孔６は回転清掃体５を回転させるために本体１の正面壁１ｂの上方寄りに形成されており、吸い込んだ外気を回転清掃体５の上部に吹き付けることによって回転清掃体５を所定方向（図示時計回り方向）に回転させている。
【０００５】
【発明が解決しようとする課題】
しかしながら、この吸込口体は、吸込孔６が回転清掃体５の回転中心Ｐよりも上方に位置していることから、吸込孔６の開口下端と回転中心Ｐとを結ぶ線Ｌ１と回転中心Ｐと吸込風路４の風路始端開口４ａの下端とを結ぶ線Ｌ２とでなす角度θ１、即ち、回転清掃体５を回転させるための外気作用範囲が１８０度以下と狭くなってしまい、回転清掃体５をより強力に回転させることができないという問題が生じていた。
【０００６】
また、吸込孔６は、吸込孔６が回転清掃体５の回転中心Ｐよりも上方に位置しているため、回転清掃体５を単に回転させるだけに用いられ、吸込風路からの負圧の有効利用を図ってはいなかった。
【０００７】
この発明は、上記問題点に鑑みてなされたもので、回転清掃体の回転力を向上させると同時に吸込風路からの負圧の有効利用を図ることができる吸込口体を提供することを目的とする。
【０００８】
【課題を解決するための手段】
上記問題点を解決するために、請求項１の発明は、  底面に吸込開口を有する吸込室を形成した吸込口本体と、前記吸込室内に回転自在に設けた回転清掃体と、前記吸込室に一端が連通すると共に他端が掃除機本体の集塵室側に連通した吸込風路と、外気に一端が連通すると共に他端が前記吸込室に連通して前後方向に延びた吸込孔と、前記吸込口体に取り付けられたバンパとを備え、前記吸込口本体は下ケースとこの下ケースに取り付けられた上ケースとを有し、前記吸込風路に発生した負圧によって前記吸込孔から吸い込んだ外気を前記回転清掃体に吹き付けて前記回転清掃体を回転させる吸込口体であって、
前記吸込孔を下ケースと前記バンパとで形成するとともに、その吸気孔の上側が前記バンパで形成し、
前記吸込室に臨む前記吸込風路の開口の下縁部を前記回転清掃体の回転中心の位置より低く設定し、
その開口の上縁部を前記回転清掃体の最上部より高く設定し、
前記吸込孔の外気側開口を前記本体の前方側底面近傍に配置して被清掃面から前記外気側開口の開口中心までの高さを被清掃面から前記回転清掃体の回転中心までの高さよりも低く設定し、前記吸込孔から被清掃面上の塵埃を外気と一緒に吸い込み、この吸い込んだ外気を前記回転清掃体の回転中心よりも上方に向けて吹き付けて被清掃面上を前記本体が前進したときの被清掃面の移動方向に対して前記回転清掃体を逆方向に回転させることを特徴とする。
【０００９】
これにより、吸込風路からの負圧に伴って吸込孔から吸い込んだ外気を回転清掃体の回転中心よりも下方から回転清掃体の回転中心よりも上方に跨る広い範囲で吹き付けることができ、回転清掃体の回転力を増すことができる。また、吸込孔を被清掃面側に接近させることができ、吸込孔から外気を取り入れる際に被清掃面上の塵埃を同時に吸い込むことができる。
【００１０】
また、請求項２に記載の発明は、被清掃面から前記外気側開口の開口中心までの高さをａ、被清掃面から前記回転清掃体の回転中心までの高さをｂ、被清掃面から前記吸込風路の吸込室側開口部の開口中心までの高さをｃとしたときに、その関係をａ＜ｂ＜ｃに設定されていることを要旨とする。
【００１１】
これにより、吸込孔から回転清掃体の回転中心よりも上方を経由して吸込風路に至る回転清掃体回転用の外気作用範囲を効率良く確保することができる。
【００１２】
さらに、請求項３に記載の発明は、前記吸込孔を奥行きを有するノズル状とすると共に奥側に向かう程被清掃面からの高さが高くなるように傾斜させたことを要旨とする。
【００１３】
これにより、吸込孔から吸い込んだ外気を回転清掃体の回転中心よりも上方に効率良く導くことができる。
【００１４】
請求項４に記載の発明は、請求項１乃至請求項３の何れかに記載の吸込口体を有することを要旨とする。
【００１５】
【発明の実施の形態】
以下、この発明に係わる電気掃除機の吸込口体の実施形態を図面に基づいて説明する。
【００１６】
図３において、１０は掃除機本体１１と吸込口体２０とを蛇腹状の吸込ホース１２，手元操作管１３，伸縮可能な延長管１４の順（掃除機本体１１側から）で着脱可能に接続した電気掃除機である。
【００１７】
この掃除機本体１１内には、袋状の集塵フィルタ１５を交換可能に設けた集塵室１６と、この集塵室１６を負圧にする電動送風機１７とが設けられている。
【００１８】
手元操作管１３の把手部１８には電動送風機１７のオンオフ操作等を行うスイッチ部１９が設けられている。手元操作管１３には延長管１４が着脱可能に接続され、延長管１４の先端部には吸込口体２０が着脱可能に接続されている。
【００１９】
吸込口体２０は、本体２１と、延長管１４に着脱自在に接続されると共に本体２１の後部に上下方向に回動可能に設けられた接続管２２とを備えている。
【００２０】
本体２１は、下ケース３０と、下ケース３０の後方上部に取り付けられた上ケース４０と、下ケース３０の前方上部に位置すると共に下ケース３０と上ケース４０とで挟持されたバンパ５０と、下ケース３０と上ケース４０とで挟み込まれた風路管６０と、風路管６０の外周に回動自在に取り付けられた回転管７０と、回転管７０に図示しないネジにより固定された断面略Ｕ字形のカバー８０と、カバー８０と接続管２２との間に回動可能に設けられたシャッタ９０等を有している。
【００２１】
接続管２２は、その一端の上部に設けた軸部２２ａが回転管７０の後部上方に枢支され、この軸部２２ａを中心にして接続管２２が前後方向（図１では左右方向）に回動可能となっている。
【００２２】
本体２１内には、図１に示すように、吸込室２３が形成されている。この吸込室２３には回転清掃体２４が回転自在に設けられている。回転清掃体２４は複数のブレード又は線状ブラシ（公知のため詳細構造省略）を軸部の外周面に螺旋状若しくは放射状に有している。
【００２３】
下ケース３０は、底面３１に開放した吸込開口３２の前後に位置して、吸込開口３２の幅方向に沿って立ち上げられた前隔壁３３並びに後隔壁３４とを一体に形成している。吸込室２３は、下ケース３０と、前後隔壁３３，３４と、上ケース４０と、上ケース４０に形成された隔壁４１と、バンパ５０とによって区画形成されている。尚、下ケース３０の後隔壁３４と上ケース４０の隔壁４１とは風路管６０の左右（本体２１の幅方向）で互いに突き合わされている。また、下ケース３０の前端の両側には前隔壁３３の上端から前方に斜め下向きとされ且つ図２に示すように、左右方向に延びた一対の傾斜面３５が形成されている。尚、各傾斜面３５の前後方向の長さ、即ち、斜面の長さは下ケース３０の肉厚よりも長く設定されている。また、左右の傾斜面３５の間は中空の筒状壁３６で仕切られている。さらに、下ケース３０には、吸込開口３２の前後にブレード３７及びブラシ３８が設けられている。
【００２４】
このブレード３７とブラシ３８並びに上述した回転清掃体２４は、被清掃面Ｙが硬い板床や畳の場合には下ケース３０に設けられた前輪３９並びにカバー８０に設けられた後輪８１とによって被清掃面Ｙから若干離間しており、被清掃面Ｙが絨毯の場合には清掃作業の加重による本体２１の沈み込みによって被清掃面Ｙに表面と接触する。
【００２５】
バンパ５０は、本体２１の前側を保護するように左右方向に延びた前ガード部５１と、この前ガード部５１の両端から後方に延びて本体２１の側部を保護する側ガード部５２，５２とを有している。
【００２６】
前ガード部５１は、上ケース４０の前端に沿って左右方向に延び且つ前方に向けて下方に傾斜した帯状に形成されていると共に上ケース４０の前側の一部を構成している。この前ガード部５１の前端５１ａは下ケース３０の前端３０ａよりも前方に突出しており、前ガード部５１の下面５１ｂは傾斜面３５よりもやや水平に前方に向けて下方に傾斜している。また、前ガード部５１の下面５１ｂの中央部には筒状壁５３が形成されている。この筒状壁５３は下ケース３０の筒状壁３６の上面に接合されている。
【００２７】
風路管６０は、吸込室２３に臨むとともに左右方向にラッパ状に広がった案内部６１とこの案内部６１の後部に断面が円形の管路部６２とを有し、これら案内部６１と管路部６２とによって吸込風路６３が形成されている。管路部６２の外周には回転管７０の先端部７０ａが回動自在に嵌合されている。そして、風路管６０と回転管７０及びカバー８０を介して吸込室２３と接続管２２とが吸込風路６３を中継して連通している。
【００２８】
シャッタ９０は、接続管２２の軸部２２ａと同軸の回動軸９０ａで回動可能となっており、接続管２２を起立させた際にはカバー８０の後端と接続管２２の先端との間に形成される隙間を閉成し、接続管２２を転倒させた際にはカバー８０内に入り込んで接続管２２の前端開口２２ｂが回転管７０の風路を閉塞しないようになっている。
【００２９】
一方、本体２１の前後方向に長さを有する傾斜面３５、筒状壁３６，５３、下面５１ｂによって、前端５１ａから本体２１の後方（奥行き方向）に伸びるノズル状の吸込孔２５が形成されている。この吸込孔２５は、上述した傾斜面３５並びに下面５１ｂによって後方に向けて上方に傾斜されると共に前後方向の長さが下ケース３０や上ケース４０の肉厚よりも十分に長くなっている。また、吸込孔２５は外気側開口２５ａの開口高さに対して吸込室側開口２５ｂの開口高さは低くなっており、吸込孔２５の全体が上向き傾斜していることと相俟って、後方に向かう程絞られた状態となっている。
【００３０】
他方、吸込孔２５の外気側開口２５ａの中心高さａは回転清掃体２４の回転中心Ｐの高さｂよりも低い位置にあり、吸込風路６３の吸込室側開口６３ａの中心高さｃは回転清掃体２４の回転中心Ｐの高さｂよりも高い位置にある。また、吸込室側開口２５ｂ並びに吸込室側開口６３ａの各下端は回転中心Ｐの高さｂよりも低い位置にある。従って、吸込室側開口２５ｂと回転中心Ｐとを結ぶ線Ｌ３と吸込室側開口６３ａと回転中心Ｐとを結ぶ線Ｌ４とでなす角度θ２は１８０度以上の広い角度となっている。
【００３１】
次に、上記のように構成される吸込口体２０および電気掃除機の動作について説明する。
【００３２】
手元操作部１７Ａの強弱スイッチＳ２または自動スイッチＳ３を操作すると、電動送風機１１が駆動されて集塵室１２が負圧になり、吸込ホース１２，手元操作管１３，延長管１４，接続管２２，回転管７０及び風路管６０を介して吸込室２３が負圧となる。この負圧により、本体２１の吸込開口３２から外気とともに塵埃が吸引され、この塵埃及び外気が吸込室２３，吸込風路６３，風路管６０，回転管７０，接続管２２および延長管１４等を介して本体１０の集塵室１２へと吸引され、塵埃が集塵フィルタ１３に集塵される。
【００３３】
また、吸込室２３の負圧により吸込孔２５から外気が吸気され、この外気が吸込孔２５を経由して回転清掃体２４の上側のブレードに吹き付け、これにより、回転清掃体２４が図１の時計回り方向に回転して被清掃面Ｙの塵埃を掻き上げていく。
【００３４】
この際、吸込風路６３の負圧によって吸込孔２５から吸い込んだ外気は回転清掃体２４の回転中心Ｐよりも下方から回転清掃体２４の回転中心Ｐよりも上方に跨って通過する。従って、回転清掃体２４を回転させるために吹き付ける外気作用範囲としての角度θ２が広いことから、回転清掃体２４を確実に高速回転させることができる。この際、回転清掃体２４は、その被清掃面Ｙと対向する部位が本体２１を前進（矢印Ｈ１方向）させたときの被清掃面Ｙの移動方向（矢印Ｈ２方向）に対して逆方向（矢印Ｈ３方向）に回転する。
【００３５】
また、被清掃面Ｙから吸込孔２５の開口中心までの高さａ、被清掃面Ｙから回転清掃体２４の回転中心Ｐまでの高さｂ、被清掃面Ｙから吸込風路６３の開口中心までの高さｃの関係が、ａ＜ｂ＜ｃに設定されていることから、吸込孔２５から回転清掃体２４の回転中心Ｐよりも上方を経由して吸込風路６３に至る回転清掃体回転用の外気作用範囲（角度θ２）を効率良く確保することができる。
【００３６】
さらに、吸込孔２５が奥行きを有するノズル状とすると共に奥側に上向傾斜させたことにより、吸込孔２５から吸い込んだ外気を回転清掃体２４の回転中心Ｐよりも上方に効率良く導くことができる。
【００３７】
また、吸込孔２５は、吸込開口３２よりも上方に位置しているので、被清掃面Ｙが絨毯であった場合のように吸込口体２０に全体的な沈み込みが発生しても、絨毯によって吸込孔２５が塞がれることが防止される。
【００３８】
さらに、吸込孔２５は吸込開口３２よりも本体２１の前方に位置すると共に前方下向きに傾斜していることから、吸込孔２５が吸気する外気と一緒に吸込開口３２よりも前方の被清掃面Ｙ上の塵埃を吸い込むことができる。
【００３９】
従って、吸込孔２５の上壁であるバンパ５０の前端５１ａを立壁Ｋに当接させることにより、被清掃面Ｙとで形成される壁際の塵埃を効率よく吸引することができる。この際、バンパ５０の前端５１ａが下ケース３０よりも前方に突出していることにより、壁やその他の家具等を傷付けてしまうことが防止されるばかりでなく、吸込孔２５が立壁Ｋに塞がれることも防止される。
【００４０】
ところで、吸込孔２５は下ケース３０とバンパ５０とによって形成したものであるから、吸込孔２５の前後方向の長さを十分に確保することができ、その長さは上ケース４０や下ケース３０の肉厚よりも十分に長くなっているので、回転清掃体２４に吹き付ける空気を十分に整流して方向付けをすることができる。このため、回転清掃体２４は効率よく回転させることができる。
【００４１】
また、吸込孔２５は下ケース３０とバンパ５０とで形成したものであるから、成形金型にスライド構成を設けずに吸込孔２５を形成することができ、その成形金型の構造は簡単なものとなる。
【００４２】
また、上記実施の形態では、吸込孔２５を下ケース３０とバンパ５０とで形成したが、下ケース３０と上ケース４０とで形成してもよい。
【００４３】
【発明の効果】
以上説明したように、請求項１に記載の発明によれば、吸込室に臨む前記吸込風路の開口の下縁部を前記回転清掃体の回転中心の位置より低く設定し、その開口の上縁部を前記回転清掃体の最上部より高く設定し、吸込孔の外気側開口を前記本体の前方側底面近傍に配置して被清掃面から前記外気側開口の開口中心までの高さを被清掃面から前記回転清掃体の回転中心までの高さよりも低く設定し、前記吸込孔から被清掃面上の塵埃を外気と一緒に吸い込み、この吸い込んだ外気を前記回転清掃体の回転中心よりも上方に向けて吹き付けて被清掃面上を前記本体が前進したときの被清掃面の移動方向に対して前記回転清掃体を逆方向に回転させるものであるから、吸込風路からの負圧に伴って吸込孔から吸い込んだ外気を回転清掃体の回転中心よりも下方から回転清掃体の回転中心よりも上方に跨る広い範囲で吹き付けることができ、回転清掃体の回転力を増すことができる。また、吸込孔が被清掃面側に接近することができ、吸込孔から外気を取り入れる際に被清掃面上の塵埃を同時に吸い込むことができる。
【００４４】
また、請求項２に記載の発明によれば、被清掃面から外気側開口の開口中心までの高さをａ、被清掃面から前記回転清掃体の回転中心までの高さをｂ、被清掃面から前記吸込風路の吸込室側開口部の開口中心までの高さをｃとしたときに、その関係をａ＜ｂ＜ｃに設定されていることにより、吸込孔から回転清掃体の回転中心よりも上方を経由して吸込風路に至る回転清掃体回転用外気通過風路と吸込開口からの塵埃吸込用風路とを効率良く確保することができる。
【００４５】
さらに、請求項３に記載の発明によれば、前記吸込孔を奥行きを有するノズル状とすると共に奥側に向かう程被清掃面からの高さが高くなるように傾斜させたことにより、吸込孔から吸い込んだ外気を回転清掃体の回転中心よりも上方に効率良く導くことができる。
【図面の簡単な説明】
【図１】本発明の実施の形態に係わる吸込口体の縦断面図である。
【図２】（Ａ）は本発明の実施の形態に係わる吸込口体の平面図、（Ｂ）は本発明の実施の形態に係わる吸込口体の正面図である。
【図３】電気掃除機の概観斜視図である。
【図４】従来の吸込口体の縦断面図である。
【符号の説明】
１０…電気掃除機
２０…吸込口体
２１…本体
２３…吸込室
２４…回転清掃体
２５…吸込孔
２５ａ…外気側開口
２５ｂ…吸込室側開口
３１…底面
３２…吸込開口
６３…吸込風路
６３ａ…吸込室側開口
Ｐ…回転中心
【図１】
0003749056.tif 000002
【図２】
0003749056.tif 000003
【図３】
0003749056.tif 000004
【図４】
0003749056.tif 000005